(57)【要約】【課題】ディジタルテレビジョン放送信号受信装置において、現在とは別のチャンネルが選局されたときに、そのチャンネルのＳＩ情報を表示してユーザに視認させ、そのＳＩ情報表示が放送番組表示の視覚的な邪魔とならないようにする。【解決手段】ディジタルテレビジョン放送信号受信装置の制御回路は、現在とは別のチャンネルの選局をリモコンから指示されたとき（Ｓ１）、その選局されたチャンネルのＳＩ情報（番組名）を黒画面に合成し、合成後の黒画面を所定の黒画面表示期間だけディスプレイに表示させる（Ｓ２〜Ｓ９）。その後、制御回路は、選局されたチャンネルの番組をディスプレイに表示させる（Ｓ１０）。これにより、選局されたチャンネルのＳＩ情報をユーザに視認させることができ、ＳＩ情報表示が放送番組表示の視覚的な邪魔にならないようにすることができ、しかも、チャンネル切替選局時に生じ得るディスプレイの画面の乱れを防ぐことができる。【選択図】図２
2012004752.tif 000002
【特許請求の範囲】
【請求項１】
ディジタルテレビジョン放送信号（以下、放送信号という）を受信するチューナと、
前記チューナにより受信される放送信号のチャンネル選局を指示するための操作手段と
、
前記操作手段により選局指示されたチャンネルを選局する選局手段と、
前記選局手段により選局されたチャンネルの放送信号からＳＩ情報を分離して復号化す
るＳＩ復号化手段と、
前記選局手段により選局されたチャンネルの放送信号から映像信号を分離して復号化す
る映像復号化手段と、
前記映像復号化手段により復号化された映像信号に基づく放送番組と、前記ＳＩ復号化
手段により復号化されたＳＩ（Service Information）情報とを表示し得る表示手段と、
を備えたディジタルテレビジョン放送信号受信装置において、
前記表示手段による前記放送番組の表示中に、前記操作手段により該表示中の放送番組
のチャンネルとは別のチャンネルを選局するように指示されたとき、前記ＳＩ復号化手段
により復号化される前記別のチャンネルのＳＩ情報を黒画面に合成して合成後の黒画面を
前記表示手段に表示させ、所定期間経過後、前記合成後の黒画面の表示を消して、前記別
のチャンネルの放送番組を前記表示手段に表示させるように該表示手段を制御する表示制
御手段をさらに備えることを特徴とするディジタルテレビジョン放送信号受信装置。
【請求項２】
前記所定期間は、前記操作手段によりチャンネル選局が指示されてから、前記表示制御
手段が該操作手段により選局指示されたチャンネルの放送番組を前記表示手段に表示可能
な状態になるまでの期間に応じて予め設定された一定期間であることを特徴とする請求項
１に記載のディジタルテレビジョン放送信号受信装置。
【請求項３】
前記ＳＩ復号化手段により復号化されたＳＩ情報の中から放送中の放送番組名情報を抽
出する番組名抽出手段をさらに備え、
前記表示制御手段は、前記番組名抽出手段により抽出された放送番組名情報を前記黒画
面に合成して、合成後の黒画面を前記表示手段に表示させることを特徴とする請求項１又
は請求項２に記載のディジタルテレビジョン放送信号受信装置。
【発明の詳細な説明】
【技術分野】
【０００１】
本発明は、放送局から送信されるディジタルテレビジョン放送信号を受信可能なディジ
タルテレビジョン放送信号受信装置に関する。
【背景技術】
【０００２】
従来から、ディジタルテレビジョン放送信号（以下、放送信号という）をチューナによ
り選局して受信し、その受信チャンネルの放送信号に基づく放送番組をディスプレイに表
示するディジタルテレビジョン放送信号受信装置（以下、受信装置という）が知られてい
る。この受信装置は、ユーザによるリモコンへの操作に基づいて受信チャンネルを選局す
る。
【０００３】
この種の受信装置において、受信チャンネルが切り替えられたとき、切替後の受信チャ
ンネルにおいて放送中又は次に放送予定である番組情報を、放送信号に含まれるＳＩ情報
から抽出してディスプレイに表示する受信装置が知られている（例えば、特許文献１乃至
特許文献３参照）。上記ディスプレイは、放送番組の映像に上記番組情報を合成するか、
又は放送番組の映像表示領域を小さくして映像表示領域とは別に番組情報表示用の領域を
設けることにより、上記番組情報を表示する。しかしながら、上記受信装置においては、
放送番組が見難くなるという問題が生じる。
【０００４】
ところで、放送信号に含まれる映像等の各種情報は符号化されており、それらの各種情
報を用いるためには放送信号の復号化が必要である。従って、受信チャンネル切替時には
、次の受信チャンネルの放送信号について、放送信号の復号化に必要なパラメータを取得
し、かつ、その取得したパラメータを用いて放送信号を復号化する必要があり、これらに
数秒程度の時間を要することがある。このため、その時間中は、放送番組がディスプレイ
に表示されず、ディスプレイの表示画面が乱れることがある。
【０００５】
そこで、ユーザにより受信チャンネルの切替操作が行われたときに、所定期間だけディ
スプレイに黒画面を表示するか（例えば、特許文献４参照）、又は、切替処理が完了する
まで切替前の受信チャンネルの静止画像を表示する受信装置が知られている（例えば、特
許文献５参照）。しかしながら、特許文献４又は特許文献５に記載の受信装置では上記の
問題を解決することが難しい。
【先行技術文献】
【特許文献】
【０００６】
【特許文献１】特表２００７−５２０９１６号公報
【特許文献２】特表平１０−５０１９３６号公報
【特許文献３】特開２００８−１６０５２５号公報
【特許文献４】特開２００８−１０９４２６号公報
【特許文献５】特開２００３−３３３４４６号公報
【発明の概要】
【発明が解決しようとする課題】
【０００７】
本発明は、上記の従来の問題を解決するためになされたものであり、現在表示中の放送
番組のチャンネルとは別のチャンネルが選局されたときに、そのチャンネルのＳＩ情報を
表示してユーザに視認させることができ、しかも、そのＳＩ情報表示が放送番組表示の視
覚的な邪魔とならないようにすることができるディジタルテレビジョン放送信号受信装置
を提供することを目的とする。
【課題を解決するための手段】
【０００８】
上記目的を達成するために請求項１の発明は、ディジタルテレビジョン放送信号（以下
、放送信号という）を受信するチューナと、前記チューナにより受信される放送信号のチ
ャンネル選局を指示するための操作手段と、前記操作手段により選局指示されたチャンネ
ルを選局する選局手段と、前記選局手段により選局されたチャンネルの放送信号からＳＩ
情報を分離して復号化するＳＩ復号化手段と、前記選局手段により選局されたチャンネル
の放送信号から映像信号を分離して復号化する映像復号化手段と、前記映像復号化手段に
より復号化された映像信号に基づく放送番組と、前記ＳＩ復号化手段により復号化された
ＳＩ（Service Information）情報とを表示し得る表示手段と、を備えたディジタルテレ
ビジョン放送信号受信装置において、前記表示手段による前記放送番組の表示中に、前記
操作手段により該表示中の放送番組のチャンネルとは別のチャンネルを選局するように指
示されたとき、前記ＳＩ復号化手段により復号化される前記別のチャンネルのＳＩ情報を
黒画面に合成して合成後の黒画面を前記表示手段に表示させ、所定期間経過後、前記合成
後の黒画面の表示を消して、前記別のチャンネルの放送番組を前記表示手段に表示させる
ように該表示手段を制御する表示制御手段をさらに備えるものである。
【０００９】
請求項２の発明は、請求項１に記載のディジタルテレビジョン放送信号受信装置におい
て、前記操作手段によりチャンネル選局が指示されてから、前記表示制御手段が該操作手
段により選局指示されたチャンネルの放送番組を前記表示手段に表示可能な状態になるま
での期間に応じて予め設定された一定期間である。
【００１０】
請求項３の発明は、請求項１又は請求項２に記載のディジタルテレビジョン放送信号受
信装置において、前記ＳＩ復号化手段により復号化されたＳＩ情報の中から放送中の放送
番組名情報を抽出する番組名抽出手段をさらに備え、前記表示制御手段は、前記番組名抽
出手段により抽出された放送番組名情報を前記黒画面に合成して、合成後の黒画面を前記
表示手段に表示させるものである。
【発明の効果】
【００１１】
請求項１の発明によれば、現在表示中の放送番組のチャンネルとは別のチャンネルが選
局されたとき、所定期間だけ、この別のチャンネルのＳＩ情報を合成した黒画面が表示手
段に表示され、その後、この別のチャンネルの放送番組が表示されるので、選局されたチ
ャンネルのＳＩ情報をユーザに視認させることができ、しかも、ＳＩ情報表示が放送番組
表示の視覚的な邪魔にならないようにすることができる。さらに、チャンネル切替選局時
に生じ得る表示手段の表示画面の乱れを防ぐこともできる。
【００１２】
請求項２の発明によれば、現在表示中の放送番組のチャンネルとは別のチャンネルが選
局されたとき、その選局されたチャンネルの放送番組が表示可能な状態となる前に黒画面
が消えることがないので、表示手段の表示画面の乱れを確実に防止することができる。し
かも、簡単な構成により表示画面の乱れを防止することができる。
【００１３】
請求項３の発明によれば、チャンネルを選局されたとき、その選局されたチャンネルで
放送中の放送番組名をユーザに通知させることができる。
【図面の簡単な説明】
【００１４】
【図１】本発明の一実施形態に係るディジタルテレビジョン放送信号受信装置の電気的ブロック図。
【図２】上記受信装置の制御回路によるディスプレイの表示制御処理のフローチャート。
【発明を実施するための形態】
【００１５】
以下、本発明の一実施形態に係るディジタルテレビジョン放送信号受信装置（以下、受
信装置という）について図面を参照して説明する。図１は、本実施形態の受信装置の構成
を示す。この受信装置１は、アンテナ２を介してディジタルテレビジョン放送信号（以下
、放送信号という）を受信するチューナ３と、チューナ３により受信された放送信号を復
調する復調回路４と、復調回路４により復調された放送信号を映像信号、音声信号及びデ
ータ信号に分離する分離回路５（ＳＩ復号化手段及び映像復号化手段を構成）と、分離回
路５により分離された映像信号、音声信号、データ信号をそれぞれ復号化する映像デコー
ダ６（映像復号化手段を構成）と、音声デコーダ７と、データデコーダ８（ＳＩ復号化手
段を構成）とを備える。
【００１６】
また、受信装置１は、ディスプレイ９（表示手段）と、ディスプレイ９を駆動するディ
スプレイ駆動回路１０と、スピーカ１１と、スピーカ１１を駆動するスピーカ駆動回路１
２と、上記各回路を制御する制御回路１３（選局手段、表示制御手段、番組名抽出手段）
と、制御回路１３の動作に必要な情報を記憶するメモリ１４と、制御回路１３に各種の動
作を赤外線信号により遠隔的に指示するためのリモートコントローラ（以下、リモコンと
いう）１５（操作手段）と、リモコン１５から送信される赤外線信号を受信し電気信号に
変換して制御回路１３に出力する赤外線受信回路１６と、時間を計数するタイマ１７とを
備える。制御回路１３は、リモコン１５からの指示に基づき、チューナ３により受信され
る放送信号のチャンネル（以下、ＣＨという）を選局する。リモコン１５は、上記受信Ｃ
Ｈの選局を指示するための選局キー１５ａを有し、選局キー１５ａの操作内容に応じた選
局信号を送信する。
【００１７】
放送信号は、放送番組（以下、番組という）の映像信号、音声信号及びデータ信号がＴ
Ｓ（Transport Stream）形式で多重化されている。データ信号は、番組情報であるＳＩ（
Service Information）情報を有する。ＳＩ情報は、放送番組名（以下、番組名という）
情報を含み、ＣＨ毎に独自に作成されている。各ＣＨのＳＩ情報は、それぞれ、各ＣＨの
放送信号に重畳されて各ＣＨの放送局から配信されるか、又は、ＳＩ集配システムにより
集められて纏められ、その纏められた全ＣＨのＳＩ情報が各ＣＨの放送信号に重畳されて
各ＣＨの放送局から配信されている。ここに、上記の各配信方式を、それぞれ、各局ＳＩ
配信方式、全局ＳＩ配信方式という。
【００１８】
チューナ３は、チューナ３の受信周波数を、制御回路１３により選局されるＣＨに対応
した周波数に同調させることにより、そのＣＨの放送信号を選局する。分離回路５は、復
調回路４により復調された放送信号に対して誤り訂正処理を行い、その訂正処理を行った
放送信号から映像信号、音声信号及びデータ信号のＴＳパケットをそれぞれ抽出する。
【００１９】
映像デコーダ６、音声デコーダ７及びデータデコーダ８は、分離回路５により分離・抽
出された映像信号、音声信号及びデータ信号のＴＳパケットをそれぞれ復号化する。デー
タデコーダ８は、復号化したデータ信号を制御回路１３に送出する。ディスプレイ９は、
映像デコーダ６により復号化された映像信号に基づく番組と、データデコーダ８により復
号化されたＳＩ情報とを表示し得る液晶ディスプレイ又は有機ＥＬディスプレイ等により
構成される。スピーカ１１は、音声デコーダ７により復号化された音声信号に基づく音声
を出力する。
【００２０】
制御回路１３は、ディスプレイ駆動回路１０とスピーカ駆動回路１２とをそれぞれ制御
することにより、ディスプレイ９の表示制御とスピーカ１１の音声出力制御を行う。また
、制御回路１３は、データデコーダ８により送出されたデータ信号からＳＩ情報を選出し
てメモリ１４に格納し、その選出したＳＩ情報の中から放送中の番組名情報を抽出する。
制御回路１３は、マイクロプロセッサ等により構成される。
【００２１】
選局キー１５ａは、複数ＣＨにそれぞれ対応する複数のＣＨキー、又はＣＨを昇順若し
くは降順に選局するためのＣＨアップキー及びＣＨダウンキー等により構成される。
【００２２】
図２は、制御回路１３によるディスプレイ９の表示制御処理の手順を示す。ディスプレ
イ９による番組の表示中に、制御回路１３が、その表示中の番組のＣＨとは別のＣＨを選
局するように指示する選局信号をリモコン１５から受信したとする（Ｓ１でＹｅｓ）。こ
のとき、制御回路１３は、ディスプレイ９に黒画面を表示させ（Ｓ２）、所定の黒画面表
示期間（所定時間）のカウントダウンをタイマ１７を用いて開始する（Ｓ３）。
【００２３】
黒画面の表示開始後、制御回路１３は、上記の別のＣＨ、すなわち、次に選局されたＣ
Ｈ（以下、次のＣＨという）のＳＩ情報が取得済みであるかどうかをメモリ１４を参照し
て確認し、未取得の場合には（Ｓ４でＮｏ）、データデコーダ８からＳＩ情報を取得し（
Ｓ５）、メモリ１４に記憶させる。
【００２４】
次のＣＨのＳＩ情報が、Ｓ４の処理時に取得済みである場合（Ｓ４でＹｅｓ）、又は、
Ｓ５の処理により取得されたとき、制御回路１３は、そのＳＩ情報に含まれる現在放送中
の番組名を抽出し（Ｓ６）、その番組名を黒画面に合成して、その合成後の黒画面をディ
スプレイ９に表示させる（Ｓ７）。Ｓ４の処理時に次のＣＨのＳＩ情報が取得済みである
場合としては、各局ＳＩ配信方式において装置の電源オン後にチューナ３がそのＣＨの放
送信号を１度以上受信した場合と、チューナ３が全局ＳＩ配信方式の放送信号を受信した
場合とが挙げられる。
【００２５】
黒画面の表示開始後、タイマ１７により黒画面表示期間の経過が検出されたとき（Ｓ８
でＹｅｓ）、制御回路１３は、番組名を合成した黒画面の表示を解除する（消す）（Ｓ９
）。上記黒画面表示期間は、予め設定された一定期間である。この一定期間は、制御回路
１３が上記選局信号を受信してから（上記Ｓ１参照）、ディスプレイ９に次のＣＨの番組
を表示可能な状態になるまでの期間（以下、表示準備期間という）に応じて設定されてお
り、この表示準備期間以上に長い。表示準備期間には、番組表示のため、少なくとも、映
像デコーダ６による映像信号の復号化に必要なパラメータが取得され、かつ、その取得さ
れたパラメータを用いて映像信号が復号化される。黒画面表示期間の設定は、予め測定又
は算出された表示準備期間を基に工場出荷前に行われる。黒画面の表示開始後、黒画面表
示期間が経過するまでは（Ｓ８でＮｏ）、番組名を合成した黒画面は表示され続ける。制
御回路１３は、黒画面の表示解除後、次のＣＨの番組をディスプレイ９に表示させる（Ｓ
１０）。
【００２６】
上記のように構成された受信装置１においては、リモコン１５の操作により現在表示中
の番組のＣＨとは別のＣＨが選局されたとき、所定期間だけ、この別のＣＨのＳＩ情報を
合成した黒画面がディスプレイ９に表示され、その後、上記別のＣＨの番組が表示される
ので、上記別のＣＨのＳＩ情報をユーザに視認させることができ、しかも、ＳＩ情報表示
が番組表示の視覚的な邪魔にならないようにすることができる。さらに、ＣＨ切替選局時
に次のＣＨの番組表示が整うまでに生じ得るディスプレイ９の表示画面の乱れを防ぐこと
もできる。
【００２７】
また、現在表示中の番組のＣＨとは別のＣＨが選局されたとき、上記黒画面表示期間だ
けディスプレイ９に黒画面が表示されるので、選局されたＣＨの放送番組が表示可能な状
態となる前に黒画面が消えることがない。従って、ディスプレイ９の表示画面の乱れを確
実に防止することができる。しかも、黒画面表示期間は一定期間なので、簡単な構成によ
り表示画面の乱れを防ぐことができる。
【００２８】
また、ＣＨを選局されたとき、その選局されたＣＨで放送中の番組名をユーザに通知さ
せることができる。
【００２９】
なお、本発明は、上記実施形態の構成に限定されるものではなく、使用目的に応じて、
様々な変形が可能である。例えば、ＣＨ選局を指示するための操作手段は、装置本体に設
けられた操作キー又は操作パネル等であってもよい。また、制御回路１３は、ＳＩ情報か
ら現在放送中の番組の終了時刻情報又は現在放送中の番組の次の番組名情報を抽出して、
それらを黒画面に合成表示しても構わない。
【符号の説明】
【００３０】
１  ディジタルテレビジョン信号受信装置
３  チューナ
５  分離回路（ＳＩ復号化手段及び映像復号化手段を構成）
６  映像デコーダ（映像復号化手段を構成）
８  データデコーダ（ＳＩ復号化手段を構成）
９  ディスプレイ（表示手段）
１３  制御回路（選局手段、表示制御手段、番組名抽出手段）
１５  リモコン（操作手段）
【図１】
2012004752.tif 000003
【図２】
2012004752.tif 000004